(57)【要約】      （修正有）【課題】ケース本体からの突出量が少なくて邪魔になることがなく、また、携帯電話の表面を装飾することができ、さらに、表面に操作ボタンがある場合には、それを保護することができる携帯電話のアクセサリーを提供する。【解決手段】表面の下部に操作ボタンを有し、下面にコネクタの嵌合凹部を有するケース本体に着脱される携帯電話のアクセサリー１において、ケース本体に対する装着後に操作ボタンを覆って装飾するとともに正面１１側からの押圧によって操作ボタンの操作が可能な装飾部Ａと、嵌合凹部に挿入される挿脱自在な嵌合凸部Ｂと、ケース本体の下面側を経由して装飾部Ａと嵌合凸部Ｂとをケース本体の厚さ方向に連結する連結部Ｃとを備える。【選択図】図１
2015005868.tif 000002
【特許請求の範囲】
【請求項１】
表面の下部に操作ボタンを有し、下面にコネクタの嵌合凹部を有するケース本体に着脱される携帯電話のアクセサリーにおいて、
前記ケース本体に対する装着後に前記操作ボタンを覆って装飾するとともに正面側からの押圧によって前記操作ボタンの操作が可能な装飾部と、
前記嵌合凹部に挿入される挿脱自在な嵌合凸部と、
前記ケース本体の下面側を経由して前記装飾部と前記嵌合凸部とを前記ケース本体の厚さ方向に連結する連結部と、を備える、
ことを特徴とする携帯電話のアクセサリー。
【請求項２】
前記連結部は、ケース本体厚さ方向への前記嵌合凸部のスライド移動をガイドするガイド部を有する、
ことを特徴とする請求項１に記載の携帯電話のアクセサリー。
【請求項３】
前記操作ボタンは、前記ケース本体の表面から窪んだ凹部に配設され、
前記装飾部は、背面側に、前記凹部に係合する係合凸部を有する、
ことを特徴とする請求項１又は２に記載の携帯電話のアクセサリー。
【請求項４】
前記係合凸部は、前記装飾部の背面によって上下方向移動可能に支持されている、
ことを特徴とする請求項３に記載の携帯電話のアクセサリー。
【請求項５】
前記係合凸部は、前記ケース本体の厚さ方向に沿っての前側に退避可能である、
ことを特徴とする請求項３又は４に記載の携帯電話のアクセサリー。
【発明の詳細な説明】
【技術分野】
【０００１】
本発明は、ケース本体のコネクタの嵌合凹部を保護するとともに、ケース本体の表面を装飾することができる携帯電話のアクセサリーに関する。
【背景技術】
【０００２】
従来、ケース本体のコネクタの嵌合凹部に着脱するアクセサリーが知られている（例えば、特許文献１参照）。
【０００３】
このアクセサリー（携帯電子機器用アクセサリー）は、アクセサリー本体と取付部とを有している。取付部は、携帯電話機器のコネクタ部の嵌合凹部に対して、表裏いずれの向きでも挿入することができる。取付部の挿入後には、アクセサリー本体は、携帯電話機器から突出された状態で装飾を行うことができる。
【０００４】
また、携帯電話のイヤホンジャックに差し込んで使用するアクセサリーが一般によく知られている。
【０００５】
このものは、アクセサリー本体とプラグによって構成されていて、プラグを携帯電話のイヤホンジャックに挿入することにより、イヤホンジャックを塵埃、水分等から保護するとともに、アクセサリー本体によって携帯電話を装飾することができる。
【先行技術文献】
【特許文献】
【０００６】
【特許文献１】特開２００４−１５９２７２号公報
【発明の概要】
【発明が解決しようとする課題】
【０００７】
上述の従来技術によると、コネクタの嵌合凹部や携帯電話のイヤホンジャックは塵埃、水分等から有効に保護することができるものの、携帯電話に装着後にアクサリー本体が携帯電話から突出されているため、邪魔になりやすいという問題があった。
【０００８】
また、携帯電話にとって最も目に付きやすい表面側を装飾することができないという問題があった。
【０００９】
さらに、例えば、携帯電話の表面側に操作ボタンがあった場合でもそれを保護することができないという問題もあった。
【００１０】
本発明は、上述の問題に鑑みてなされたものであり、ケース本体の嵌合凹部を有効に保護することができるものでありながら、ケース本体からの突出量が少なくて邪魔になることがなく、また、携帯電話の表面を装飾することができ、さらに、表面に操作ボタンがある場合には、それを保護することができる携帯電話のアクセサリ―を提供することを目的とするものである。
【課題を解決するための手段】
【００１１】
請求項１に係る発明は、表面の下部に操作ボタンを有し、下面にコネクタの嵌合凹部を有するケース本体に着脱される携帯電話のアクセサリーにおいて、前記ケース本体に対する装着後に前記操作ボタンを覆って装飾するとともに正面側からの押圧によって前記操作ボタンの操作が可能な装飾部と、前記嵌合凹部に挿入される挿脱自在な嵌合凸部と、前記ケース本体の下面側を経由して前記装飾部と前記嵌合凸部とを前記ケース本体の厚さ方向に連結する連結部と、を備える、ことを特徴とする。
【００１２】
請求項２に係る発明は、請求項１に係る携帯電話のアクセサリーにおいて、前記連結部は、ケース本体厚さ方向への前記嵌合凸部のスライド移動をガイドするガイド部を有する、ことを特徴とする。
【００１３】
請求項３に係る発明は、請求項１又は２に係る携帯電話のアクセサリーにおいて、前記操作ボタンは、前記ケース本体の表面から窪んだ凹部に配設され、前記装飾部は、背面側に、前記凹部に係合する係合凸部を有する、ことを特徴とする。
【００１４】
請求項４に係る発明は、請求項３に係る携帯電話のアクセサリーにおいて、前記係合凸部は、前記装飾部の背面によって上下方向移動可能に支持されている、ことを特徴とする。
【００１５】
請求項５に係る発明は、請求項３又は４に係る携帯電話のアクセサリーにおいて、前記係合凸部は、前記ケース本体の厚さ方向に沿っての前側に退避可能である、ことを特徴とする。
【発明の効果】
【００１６】
請求項１の発明によれば、携帯電話のアクセサリーは、嵌合凸部がケース本体の下面の嵌合凹部に挿入されることで、嵌合凹部に対する塵埃や水分の進入を防止して保護することができる。
【００１７】
また、アクセサリーは、装飾部が連結部を介して嵌合凸部に連結されているので、嵌合凸部を、ケース本体の下方から嵌合凹部に挿入する１アクションによって、ケース本体の操作ボタンを表面側から覆って装飾することができる。
【００１８】
また、アクセサリーは、装飾部がケース本体の表面を装飾し、嵌合凸部が嵌合凹部に挿入され、連結部が装飾部と嵌合凸部とを下面側に沿って連結するため、アクセサリー全体として、ケース本体からの突出量を少なくすることができるため、邪魔になりにくい。
【００１９】
さらに、ケース本体に装着された後の装飾部は、これを正面側から押圧することにより、操作ボタンを操作することができる。つまり、操作ボタンを、表面側から装飾部によって覆われたままの状態で操作することが可能である。
【００２０】
請求項２の発明によれば、嵌合凸部をケース本体厚さ方向にスライド移動させることができるので、装飾部から嵌合凸部までの距離を調整することができる。このため、例えば、ケース本体自体の厚さが異なるために、ケース本体の表面から嵌合凹部までの距離が異なるような場合でも容易に対処することができる。
【００２１】
また、ケース本体にケースカバー等を装着したために、ケースカバーの厚さも含めたケース本体の表面から嵌合凸部までの距離が変化した場合も、嵌合凸部を厚さ方向にスライド移動させることにより、容易に対処することができる。
【００２２】
請求項３の発明によれば、ケース本体に装着後のアクセサリーは、装飾部の背面側の係合凸部がケース本体の係合凹部に係合するので、不要に下方に移動して脱落することが防止される。
【００２３】
請求項４の発明によれば、係合凸部は、上下方向移動可能であるので、例えば、ケース本体の下面から凹部までの高さ位置（距離）が異なるケース本体に対しても、容易に対処することができる。また、ケース本体にケースカバーを装着したために、ケースカバーの厚さも含めたケース本体の下面から凹部までの高さ位置（距離）が変化した場合でも、係合凸部の上下方向の位置を変えることで容易に対処することができる。
【００２４】
請求項５の発明によれば、係合凸部は、アクセサリーの着脱時に厚さ方向に沿っての前側に退避させることが可能であるので、アクセサリーの、ケース本体下方からの着脱動作が円滑に行われる。
【図面の簡単な説明】
【００２５】
【図１】（Ａ）〜（Ｆ）はアクセサリー１の全体を示す図であり、（Ａ）は正面図、（Ｂ）は右側面図、（Ｃ）は背面図、（Ｄ）は左側面図、（Ｅ）は上面図、（Ｆ）は下面図である。
【図２】（Ａ）〜（Ｆ）は挿入部材３０と接続部材２０とが一体に組み合わされた状態を示す図であり、（Ａ）は正面図、（Ｂ）は右側面図、（Ｃ）は背面図、（Ｄ）は左側面図、（Ｅ）は上面図、（Ｆ）は下面図である。
【図３】（Ａ）〜（Ｃ）はアクセサリー１の着脱対象となる携帯電話Ｐを示す図であり、（Ａ）は正面図、（Ｂ）は右側面図、（Ｃ）は下面図である。
【図４】（Ａ）〜（Ｃ）は係合凸部２４の上下動を説明する図であり、（Ａ），（Ｂ）は係合凸部２４がそれぞれ上昇限度Ｍ１、下降限度Ｍ２に配置された状態を説明する図１（Ａ）中のＸ−Ｘ線矢視図であり、（Ｃ）は係合凸部２４が上昇限度Ｍ１（実線）、下降限度Ｍ２（二点鎖線）に配置された状態を示す背面図である。
【図５】（Ａ）〜（Ｄ）は挿入部材３０の前後動を説明する図１（Ａ）中のＸ−Ｘ線矢視図であり、（Ａ），（Ｂ）は挿入部材３０がそれぞれ前進限度Ｍ３、後退限度Ｍ４に配置された状態を示す図であり、（Ｃ）はアクセサリー１がケース本体Ｐ１に装着された状態を説明する図であり、（Ｄ）はさらにケースカバーＣＣが取り付けられた状態を示す図である。
【発明を実施するための形態】
【００２６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２７】
図１〜図５を参照して本発明を適用した実施形態１に係る携帯電話のアクセサリー１（以下単に「アクセサリー１」という。）について説明する。
【００２８】
図１〜図５のうち、図１は、アクセサリー１の全体を示す図であり、（Ａ）は正面図、（Ｂ）は右側面図、（Ｃ）は背面図、（Ｄ）は左側面図、（Ｅ）は上面図、（Ｆ）は下面図である。
【００２９】
図２は、挿入部材３０と接続部材２０とが一体に組み合わされた状態を示す図であり、（Ａ）は正面図、（Ｂ）は右側面図、（Ｃ）は背面図、（Ｄ）は左側面図、（Ｅ）は上面図、（Ｆ）は下面図である。また、図３は、アクセサリー１の着脱対象となる携帯電話Ｐを示す図であり、（Ａ）は正面図、（Ｂ）は右側面図、（Ｃ）は下面図である。
【００３０】
なお、以下では、説明の便宜上、図１（Ａ），（Ｂ）の上側、図２（Ａ）の上側、図３（Ａ），（Ｃ）の上側に矢印で示す上下左右前後の方向が、アクセサリー１、携帯電話Ｐ等の上下左右前後に対応するものとして説明する。
【００３１】
アクセサリー１の説明に先立ち、アクセサリー１の着脱対象（着脱先）となる携帯電話Ｐについて説明する。
【００３２】
図３に示すように、携帯電話Ｐは、縦長の長方形の板状に形成されたケース本体Ｐ１を有している。すなわち、ケース本体Ｐ１は、高さＨ（上下方向の寸法）が、幅Ｗ（左右方向の寸法）よりも大きく、厚さＴ（前後方向の寸法）は、幅Ｗよりも小さくなるように形成されている。つまり、高さＨ＞幅Ｗ＞厚さＴとなっている。
【００３３】
ケース本体Ｐ１は、表面Ｐ２に、ほぼ全幅にわたって、上下方向に長い長方形状の液晶パネル（表示装置）Ｐ３を有しいている。表面Ｐ２のうちの、液晶パネルＰ３の上側、及び下側には、左右方向に長い帯状の領域Ｐ４，Ｐ５が設けられている。
【００３４】
このうち、下側の領域Ｐ５の左右方向の中央には、なだらかな曲面状に窪んだ凹部Ｐ６（図４，図５参照）が形成されている。この凹部Ｐ６の底部には、操作ボタンＰ７が配設されている。この操作ボタンＰ７は、例えば、携帯電話Ｐに着信があったときに、押圧することで、通話を開始することができる。このように、操作ボタンＰ７は、ケース本体１の表面Ｐ２から後退した位置（窪んだ位置）に配置されているため、誤動作されにくくなっている。
【００３５】
この操作ボタンＰ７は、後述するように、ケース本体Ｐ１にアクセサリー１が装着された際に、装飾部Ａによって覆われる。
【００３６】
ケース本体Ｐ１は、下面Ｐ８に、コネクタの嵌合凹部Ｐ９を有している。嵌合凹部Ｐ９は、下面Ｐ８に開口する開口部Ｐ１０を有している。開口部Ｐ１０は、下面Ｐ８における左右方向の中央に、左右方向に長く開口している。嵌合凹部Ｐ９は、この開口部Ｐ１０から上方に延びる凹部として形成されている。嵌合凹部Ｐ９は、例えば、充電時やＰＣとのデータ通信時に使用されるケーブルのコネクタの凸部が挿入される部分である。
【００３７】
この嵌合凹部Ｐ９には、後述するように、ケース本体Ｐ１にアクセサリー１が装着された際に、アクセサリー１の嵌合凸部Ｂが挿入される。
アクセサリー１は、図１に示すように、装飾部Ａと嵌合凸部Ｂと連結部Ｃとを備えており、全体として一体的に構成されている。これら装飾部Ａと嵌合凸部Ｂと連結部Ｃとは、例えば、プラスチック（合成樹脂）で形成されたパーツとしてのカバー部材１０と接続部材２０と挿入部材３０とを組み合わせることによって一体的に構成されている。
【００３８】
装飾部Ａは、カバー部材１０と、接続部材２０の一部である取付部２１とによって構成されている。なお、接続部材２０は、後述するように取付部２１とガイド部２２とによって構成されていて、このうちガイド部２２は、連結部Ｃを構成している。
【００３９】
カバー部材１０は、ほぼ板状に形成されていて、図１（Ａ）に示すように、正面１１側から見た大きさが、携帯電話Ｐの凹部Ｐ６よりも大きく形成されていて、操作ボタンＰ７とともに凹部Ｐ６全体を覆っている。カバー部材１０は、正面１１側から見たときの形状に変化を付けたり、正面１１にレリーフを施したり、正面１１に着色したりすることで、装飾性を高めている。なお、カバー部材１０の正面１１は、本実施形態では、装飾部Ａの正面と同じである。
【００４０】
接続部材２０は、上下方向に延びる板状の取付部２１と、前後方向（厚さ方向）に延びるガイド部２２とを有していて、取付部２１の下端とガイド部２２の前端とが連結されている。これにより、取付部２１は、例えば、携帯電話Ｐの使用者が、ガイド部２２を固定した状態で、取付部２１の先端（上端）を前方に少し引っ張ると、弾性的に変形して湾曲することが可能である。
【００４１】
取付部２１は、その裏面側の上端側に、溝２３が形成されている。溝２３は、前後方向の厚さが薄く、上方に向かって開口するとともに、下端側が半円状に形成されている。この溝２３には、円板状の係合凸部２４の厚さ方向の正面側の一部が嵌合されている。係合凸部２４は、背面側の一部が、上述のカバー部材１０の背面１２から少し突出されている。
【００４２】
図４（Ａ）〜（Ｃ）は係合凸部２４の上下動を説明する図であり、（Ａ），（Ｂ）は係合凸部２４がそれぞれ上昇限度Ｍ１、下降限度Ｍ２に配置された状態を説明する図１（Ａ）中のＸ−Ｘ線矢視図であり、（Ｃ）は係合凸部２４が上昇限度Ｍ１（実線）、下降限度Ｍ２（二点鎖線で図示）に配置された状態を示す背面図である。
【００４３】
係合凸部２４は、突出部分をケース本体Ｐ１の凹部Ｐ６に当接させている。係合凸部２４は、溝２３に沿って上下方向に移動させることが可能であり、凹部Ｐ６の高さ位置（下面Ｐ８から凹部Ｐ６の中心までの距離Ｈ１，Ｈ２等）に応じて、上下方向に位置変更が可能である。係合凸部２４は、例えば、最大の距離Ｈ１のケース本体Ｐ１に対しては、上昇限度Ｍ１に配置され、一方、最小の距離Ｈ２のケース本体Ｐ１に対しては、下降限度Ｍ２に配置される。
【００４４】
これにより、例えば、ケース本体Ｐ１にケースカバーＣＣが装着されることにより、ケースカバーＣＣの厚さを考慮した場合の下面Ｐ８から凹部Ｐ６の中心までの実質的な距離が変化した場合でも容易に対応することができる。
【００４５】
さらに、係合凸部２４は、その背面２４ａが、ケース本体Ｐ１の凹部Ｐ６に入り込んで、操作ボタンＰ７の表面に対して軽く接触し、または微小間隙を介して対向するようになっている。これにより、装飾部Ａにおける係合凸部２４に対応する部位を、装飾部Ａの正面側から押圧すると、操作ボタンＰ７を押下することができるようになっている。
【００４６】
取付部２１は、カバー部材１０の背面１２に嵌合されていて、このカバー部材１０、係合凸部２４とともに、装飾部Ａを構成している。したがって、係合凸部２４は、上述のように、取付部２１の上端側を前側に引くようにして弾性変形させると、これに伴って、前側に退避することが可能である。これにより、後述するように、アクセサリー１は、ケース本体Ｐ１の下方からの着脱が容易となる。
【００４７】
図２に示すように、接続部材２０のガイド部２２は、取付部２１の下端に連続して後方の挿入部材３０に向かって延びている。ガイド部２２の上面には、前後方向に延びるガイドレール部２５が形成されている。このガイドレール部２５は、後述する挿入部材３０の下部に設けられた蟻溝３３に対応する断面形状を有している。ガイドレール部２５には、図４に示すように、これに一旦係合された挿入部材３０の脱落を防止する、傾斜面状の抜止め２６が形成されている。
【００４８】
上述のように、アクセサリー１は、装飾部Ａと嵌合凸部Ｂと連結部Ｃとによって構成されている。そして、装飾部Ａは、ケース本体Ｐ１の表面Ｐ２の操作ボタンＰ７を覆う部分であって、カバー部材１０と、接続部材２０の取付部２１及び係合凸部２４とによって構成されている。また、接続部Ｃは、接続部材２０のガイドレール部２２によって構成されている。さらに、次に説明する嵌合凸部Ｂは、挿入部材３０によって構成されている。
【００４９】
嵌合凸部Ｂを構成する挿入部材３０は、挿入部３１と、スライダ部３２とを有している。
挿入部３１は、ほぼ長方形状の板状に形成されていて、ケース本体Ｐ１の下面Ｐ８の嵌合凹部Ｐ９に対して挿脱される部分である。挿入部３１は、挿入後は、使用者が積極的な取り外し（引き抜き）動作を行わない限り、抜けない程度の固さで嵌合されている。
スライダ部３２は、挿入部３１の下端に設けられていて、上述のガイドレール部２５に沿って前後方向にスライド可能な蟻溝３３が前後方向に形成されている。
【００５０】
挿入部材３０は、そのスライダ部３２がガイドレール部２５の後端側から挿入されて、抜止め部２６を超えると、脱落が防止される。挿入部材３０は、ガイドレール部２５に沿って前後方向に移動することが可能であり、移動に伴い、装飾部Ａの裏面側と嵌合凸部Ｂとの距離を変更することができるようになっている。
【００５１】
図５（Ａ）〜（Ｄ）は挿入部材３０の前後動を説明する図１（Ａ）中のＸ−Ｘ線矢視図であり、（Ａ），（Ｂ）は挿入部材３０がそれぞれ前進限度Ｍ３、後退限度Ｍ４に配置された状態を示す図であり、（Ｃ）はアクセサリー１がケース本体Ｐ１に装着された状態を説明する図であり、（Ｄ）はさらにケースカバーＣＣが取り付けられた状態を示す図である。
【００５２】
挿入部材３０は、図５（Ａ），（Ｂ）に示すように、カバー部材１０（装飾部Ａ）の背面１２からの距離（厚さ）が最小の距離Ｔ３となる前進限度Ｍ３と、最大の距離Ｔ４となる後退限度Ｍ４との間で移動可能である。したがって、例えば、（Ｃ），（Ｄ）に示すように、表面Ｐ２から嵌合凹部Ｐ９までの距離がそれぞれＴａ，Ｔｂ（ただし、Ｔａ＜Ｔｂ）であるケース本体Ｐ１に対して、厚さがｔのケースカバーＣＣを装着した場合であっても、
Ｔ３≦Ｔａ
Ｔｂ＋ｔ≦Ｔ４
が成り立つようにすれば、十分対処することができる。
【００５３】
このように、ケース本体Ｐ１は、挿入部材３０が前後方向に移動可能であるので、厚さＴの異なる複数種のケース本体Ｐ１に容易に対応することができる。また、同一のケース本体Ｐ１であっても、ケースカバーＣＣを装着することにより、ケースカバーＣＣの厚さに対応する分だけ、上述の距離が変化することになるが、この場合も容易に対応することができる。
【００５４】
上述したアクセサリー１は、以下のような作用・効果を奏する。
（１）アクセサリー１は、挿入部材３０（嵌合凸部Ｂ）が、ケース本体Ｐ１の下面Ｐ８の嵌合凹部Ｐ９に挿入されることで、嵌合凹部Ｐ９に対する塵埃や水分の進入を防止して保護することができる。
（２）アクセサリー１は、カバー部材１０及び接続部材２０の取付部２１（以下、カバー部材１０等という。装飾部Ａと同じ）が連結部Ｃを介して挿入部材３０（嵌合凸部Ｂ）に連結されているので、挿入部材３０（嵌合凸部Ｂ）を、ケース本体Ｐ１の下方から嵌合凹部Ｐ９に挿入する１アクションによって、ケース本体Ｐ１の操作ボタンＰ７を表面側から覆って装飾することができる。
（３）アクセサリー１は、カバー部材１０等（装飾部Ａ）がケース本体Ｐ１の表面Ｐ２を装飾し、挿入部材３０（嵌合凸部Ｂ）が嵌合凹部Ｐ９に挿入され、接続部材２０のガイド部２２（連結部Ｃ）がカバー部材１０等（装飾部Ａ）と挿入部材３０（嵌合凸部Ｂ）とをケース本体Ｐ１の下面Ｐ８側に沿って連結するため、アクセサリー１全体として、ケース本体Ｐ１からの突出量を抑制することができる。これにより、ケース本体１に装着後のアクセサリー１は、邪魔になりにくい。
（４）アクセサリー１は、ケース本体Ｐ１の下面Ｐ８の嵌合凹部Ｐ９に挿入部材３０（嵌合凸部Ｂ）を挿入することで、カバー部材１０等（装飾部Ａ）により、携帯電話Ｐで最も目に付きやすいケース本体Ｐ１の表面Ｐ２を装飾することができる。
（５）カバー部材１０等（装飾部Ａ）により、操作ボタンＰ７を表面側から覆って、これを保護することができる。
（６）ケース本体Ｐ１に装着された後のカバー部材１０等（装飾部Ａ）は、これを正面１１側から押圧することにより、操作ボタンＰ７を操作することができる。つまり、操作ボタンＰ７を、正面１１側からカバー部材１０等（装飾部Ａ）によって覆われたままの状態で操作することが可能である。
（７）挿入部材３０（嵌合凸部Ｂ）は、ケース本体Ｐ１の厚さＴ方向にスライド移動させることができるので、カバー部材１０等（装飾部Ａ）の背面１２から挿入部材３０（嵌合凸部Ｂ）までの距離Ｔ３，Ｔ４を調整することができる。このため、例えば、ケース本体Ｐ１自体の厚さＴが異なるために、ケース本体Ｐ１の表面Ｐ２から嵌合凹部Ｆ９までの距離が異なるような場合でも容易に対処することができる。また、ケース本体Ｐ１にケースカバーＣＣ等を装着したために、ケースカバーＣＣの厚さｔも含めたケース本体Ｐ１の表面Ｐ２から挿入部材３０（嵌合凸部Ｂ）までの距離が変化した場合も、挿入部材３０（嵌合凸部Ｂ）を厚さＴ方向にスライド移動させることにより、容易に対処することができる。
（８）ケース本体Ｐ１に装着後のアクセサリー１は、カバー部材１０等（装飾部Ａ）の背面１２側の係合凸部２４がケース本体Ｐ１の係合凹部Ｐ９に係合するので、不要に下方に移動して脱落することが防止される。
（９）係合凸部２４は、上下方向に移動可能であるので、例えば、ケース本体Ｐ１の下面Ｐ８から凹部Ｐ６までの高さ位置（距離）が異なるケース本体に対しても、容易に対処することができる。また、ケース本体Ｐ１にケースカバーＣＣを装着したために、ケースカバーＣＣの厚さｔも含めたケース本体Ｐ１の下面から凹部Ｐ６までの高さ位置（距離）Ｈ１，Ｈ２が変化した場合でも、係合凸部２４の上下方向の位置を変えることで容易に対処することができる。
（１０）係合凸部２４は、アクセサリー１の着脱時に厚さＴ方向に沿っての前側に退避させることが可能であるので、アクセサリー１の、ケース本体Ｐ１下方からの着脱動作が円滑に行われる。
【００５５】
以上の実施形態では、挿入部材３０が前後方向にスライド移動できる例を説明したが、これに限定されるものではなく、スライド移動しないように構成してもよい。
【００５６】
また、カバー部材１０の背面１２側に嵌合凸部２４を上下方向移動可能に設けた場合を例に説明したが、上下動できない構成であってもよい。
【００５７】
アクセサリーの変形例として、装飾部Ａと連結部Ｃとをヒンジで接続するとともに、装飾部Ａをケース本体Ｐ１の表面Ｐ２側（閉方向）に付勢部材で付勢する構成とするようにしてもよい。ケース本体Ｐ１に対すアクセサリーの装着時には、付勢部材の付勢力に抗して、装飾部Ａを開方向に開き、嵌合凸部Ｂをケース本体Ｐ１の嵌合凹部Ｐ９に挿入した後、装飾部Ａを閉じることにより、装飾部Ａで操作ボタンＰ７を覆って保護するとともに、ケース本体Ｐ１の表面Ｐ２を装飾することができる。
【符号の説明】
【００５８】
１      アクセサリー（携帯電話のアクセサリー）
１０    カバー部材
１１    正面
１２    背面
２０    接続部材
２１    取付部
２２    ガイド部
２４    係合凸部
３０    挿入部材
Ａ      装飾部（カバー部材１０及び接続部材２０の取付部２１）
Ｂ      嵌合凸部（挿入部材３０）
Ｃ      連結部（接続部材２０のガイド部２２）
ＣＣ    ケースカバー
Ｐ      携帯電話
Ｐ１    ケース本体
Ｐ２    表面
Ｐ６    凹部
Ｐ７    操作ボタン
Ｐ８    下面
Ｐ９    嵌合凹部
Ｔ      ケース本体の厚さ
【図１】
2015005868.tif 000003
【図２】
2015005868.tif 000004
【図３】
2015005868.tif 000005
【図４】
2015005868.tif 000006
【図５】
2015005868.tif 000007